(57)【要約】【課題】  送気加圧鋳造法において、送気ガスの一部が製品部又は押湯部に侵入することを抑制でき、送気ガスの侵入に起因する鋳造欠陥の発生を抑えて健全な鋳造物品を得ることが可能となる送気加圧鋳造法用の通気性鋳型を提供する。【解決手段】  少なくとも湯口部、湯道部からなる溶湯流路部及び製品部のキャビティを有する鋳造のための通気性鋳型であって、通気性鋳型の全てのキャビティの体積よりも小さい所望のキャビティの体積の金属溶湯を重力注湯し、次いで湯口部からガスを送気して、所望のキャビティを金属溶湯で充填して鋳造物品を得るための送気加圧鋳造法用の通気性鋳型において、溶湯流路部のキャビティと製品部のキャビティとの間に、ガス抜き部を設ける。【選択図】  図１
2019181550.tif 000002
【特許請求の範囲】
【請求項１】
少なくとも湯口部、湯道部からなる溶湯流路部及び製品部のキャビティを有する鋳造のための通気性鋳型であって、前記通気性鋳型の全てのキャビティの体積よりも小さい所望のキャビティの体積の金属溶湯を重力注湯し、次いで前記湯口部からガスを送気して、前記所望のキャビティを金属溶湯で充填して鋳造物品を得るための通気性鋳型において、溶湯流路部のキャビティと製品部のキャビティとの間に、ガス抜き部を設けたことを特徴とする送気加圧鋳造法用の通気性鋳型。
【発明の詳細な説明】
【技術分野】
【０００１】
本発明は、通気性鋳型のキャビティの全体の体積よりも小さい所望のキャビティの体積の金属溶湯を重力注湯し、次いで湯口部からガスを送気して、所望のキャビティを金属溶湯で充填して鋳造物品を得る鋳造法（以下、単に送気加圧鋳造法という場合がある）に用いる通気性鋳型に関するものである。
【背景技術】
【０００２】
重力注湯（以下、単に注湯という場合がある）による鋳造物品の製造には、砂粒子を用いて造型された通気性の鋳型（以下、通気性鋳型又は単に鋳型という場合がある）所謂、砂型が最も一般的に用いられている。通気性鋳型を使用すれば、鋳型に画成された特定形状のキャビティ（空間）に金属溶湯（以下、単に溶湯という場合がある）が充填される際に、キャビティに残留する気体（一般には空気）がキャビティ表面から押し出されるとともに、キャビティ全体に溶湯が充填して、キャビティと実質同一形状の鋳物を得ることができる。一般の鋳造において、鋳型のキャビティは湯口部、湯道部、押湯部及び製品部を有し、通常は、湯口部、湯道部、押湯部及び製品部の順で溶湯が供給される。そして、従来の鋳造法においては、製品部を満たすだけの溶湯ヘッド高さを湯口部に形成して注湯が終了する。
【０００３】
注湯終了後に凝固した鋳物は、湯口部、湯道部、押湯部及び製品部が一体の鋳物として連結した形態となっている。ここで、湯口部及び湯道部は製品部までの溶湯の経路であり、また押湯部は凝固過程において製品部の凝固収縮に対して溶湯を補給して製品の健全化のために必要に応じて設けるものであり、何れも鋳造後の鋳物としては不要な部分である。凝固終了後の後工程では、製品部をその他の不要な部分から分離して、鋳造物品を得るとともに、湯口部、湯道部、押湯部はリターン材として再溶解される。このように従来の鋳造法では、鋳造物品を得るために、本来不要な湯口部や湯道部へも溶湯を充填するため、注入歩留り（製品部重量／総注湯重量で表される比率を百分率で示す）は低かった。また、後工程である製品部の分離工程において製品部と不要な部分との仕分け作業に相当な工数を要し、生産効率の低下を招いていた。従って、重力注湯において、鋳物として湯口部や湯道部の存在は大きな問題であった。
【０００４】
特許文献１及び特許文献２は、上記のような問題を解決する画期的な手段として、本発明の通気性鋳型に適用される基本技術である送気加圧鋳造法を提案している。その手段とは、通気性鋳型のキャビティ（以下、単に鋳型キャビティという場合がある）のうちの一部である所望のキャビティ部分に金属溶湯を充填するため、鋳型キャビティの全体の体積よりも小さく、溶湯を充填させたい所望のキャビティ部分とほぼ等しい体積の溶湯を重力注湯し、次いで注湯された溶湯が凝固する前に、湯口部から圧縮ガスを送気して所望のキャビティ部分に溶湯を充填して凝固させるものである。特許文献１及び特許文献２の手段によれば、製品部を満たすために必要であった溶湯ヘッド高さによる圧力が圧縮ガスによって補填されるため、湯口部はもちろん、湯道部の溶湯もほぼ不要とすることが可能となり、注入歩留りの向上や後工程での生産効率の向上に資することが期待されている。
【先行技術文献】
【特許文献】
【０００５】
【特許文献１】特開２００７−７５８６２号公報
【特許文献２】特開２０１０−２６９３４５号公報
【発明の概要】
【発明が解決しようとする課題】
【０００６】
本発明者らは、特許文献１及び特許文献２に開示の送気加圧鋳造法を実現化するための検討を試みた。その結果、従来の鋳造法に較べ送気加圧鋳造法では、ガスに起因すると思われる鋳造欠陥が生じやすいという課題を見出した。即ち、製品に吹かれ、ガスホール、ブローホール、不回り不良などのガス欠陥が生じやすく、また押湯への溶湯の未充填により溶湯補給機能が低下して製品への引け巣欠陥が生じやすいという事象が散見された。
製品に発生したガス欠陥を観察した結果、鋳型内でガスの送気経路となる湯口部又は湯道部のキャビティと製品部のキャビティとが接近した製品又は製品内の部位において発生傾向が高いことが分かった。このためガス欠陥の発生原因は、溶湯を重力注湯した後、湯口部からガスを送気した場合に、送気したガス（以下、送気ガス又は単にガスという場合がある）の一部が、通気性鋳型又は通気性鋳型の見切り（分割面）或いはその両方を介して、湯口部又は湯道部から製品部に侵入し、侵入したガスが製品部に残留して発生するものと推察された。
【０００７】
本発明の目的は、上記の先行技術の課題に鑑み、送気加圧鋳造法において、送気ガスの一部が製品部又は押湯部に侵入することを抑制できる送気加圧鋳造法用の通気性鋳型を提供することにある。
【課題を解決するための手段】
【０００８】
上記目的を達成するため、本発明者らは、送気したガスを製品部又は押湯部に侵入させないためには、湯口部又は湯道部から通気性鋳型又は通気性鋳型の見切り或いはその両方から鋳型内に侵入した送気ガスを、鋳型の内部や外部に放散する必要があることに着目して、その手段について鋭意検討した。その結果、通気性鋳型内にガス抜き部を設置することで、製品部又は押湯部への送気ガスの侵入を抑制できることを見出し本発明に想到した。
【０００９】
即ち、本発明の送気加圧鋳造法用の通気性鋳型は、少なくとも湯口部、湯道部からなる溶湯流路部及び製品部のキャビティを有する鋳造のための通気性鋳型であって、前記通気性鋳型の全てのキャビティの体積よりも小さい所望のキャビティの体積の金属溶湯を重力注湯し、次いで前記湯口部からガスを送気して、前記所望のキャビティを金属溶湯で充填して鋳造物品を得るための通気性鋳型において、溶湯流路部のキャビティと製品部のキャビティとの間に、ガス抜き部を設けたことを特徴とする。
【発明の効果】
【００１０】
本発明によれば、送気加圧鋳造法において、送気ガスの一部が製品部又は押湯部に侵入することを抑制できるので、送気ガスの侵入に起因する鋳造欠陥の発生が抑制され、健全な鋳造物品を得ることが可能となる。
【図面の簡単な説明】
【００１１】
【図１】本発明の実施の形態の通気性鋳型を概念的に示す平面図である。
【図２】本発明の実施の形態の通気性鋳型を示す要部断面図であって、（ａ）は図１のＡ−Ａ矢視断面図であり、（ｂ）は図１のＢ−Ｂ矢視断面図である。
【発明を実施するための形態】
【００１２】
（１）送気加圧鋳造法
本発明の通気性鋳型に適用される基本技術である送気加圧鋳造法について説明する。送気加圧鋳造法は、特許文献１及び特許文献２に提案されるようなガスを適用する鋳造物品の製造方法（送気加圧鋳造法）を基本技術とするものであり、これらの特許文献に開示される技術に適用される。ただし、これらの特許文献の開示範囲に限定されるものではない。
【００１３】
送気加圧鋳造法は、通気性鋳型の湯口部から溶湯流路部内に鋳型キャビティの全体の体積よりも小さい所望のキャビティの体積の金属溶湯を重力注湯で供給し、次いで湯口部からガスを送気して、溶湯流路部内の金属溶湯を押し込むことで溶湯流路部内の金属溶湯を所望のキャビティに供給し、所望のキャビティを金属溶湯で充填して鋳造物品を得る方法である。なお、所望のキャビティとは、少なくとも製品部のキャビティを含むキャビティである。
【００１４】
従来の一般的な重力注湯による鋳造法では、製品部だけでなく、製品部以外の全キャビティにも溶湯を充填して凝固させることが健全な製品を得るために不可欠であることから、注入歩留りは高々７０％程度に留まって、それ以上に大幅な向上は見込めない。これに対して送気加圧鋳造法を用いれば、鋳型キャビティの全体の体積よりも小さく、製品部のキャビティよりも大きい体積の溶湯を充填することが可能なので、原理的には注入歩留りをほぼ１００％にできる可能性がある。
【００１５】
金属溶湯は、鋳鉄、鋳鋼などの鉄合金、アルミニウム合金、銅合金、マグネシウム合金、亜鉛合金などの一般的な鋳造物品の製造に使用される金属材料の溶湯を使用することができる。
【００１６】
（２）通気性鋳型
本発明の通気性鋳型は、上述の送気加圧鋳造法に用いた場合に好適な通気性鋳型であって、少なくとも金属溶湯を受湯する湯口部と、湯口部と製品部を連通する湯道部と、からなる溶湯流路部のキャビティ及び製品部のキャビティを有する。なお、溶湯流路部とは、湯口部又は湯道部又は湯口部と湯道部を合わせた部位の総称である。本発明の通気性鋳型は、製品部以外には湯口部及び湯道部を有すればよく、必ずしも押湯部を有するとは限らない。しかしながら、押湯部は製品部の凝固収縮に伴い溶湯を補給する役割を果たす部分であるため、凝固開始前の溶湯は押湯部全体にも充填されていないと押湯部はその役割を十分に果たせずに製品部に引け巣等の不良をきたしてしまうことがあるので、押湯部も、少なくとも送気加圧による充填の完了時点においては溶湯で充填されているのが好ましい。このため本発明の実施の形態では、押湯部も製品部と同様に所望のキャビティと定義して、溶湯で充填される形態で例示する。以下、製品部又は製品部と押湯部とを合わせたキャビティを、製品部のキャビティという場合がある。
【００１７】
通気性鋳型は、重力注湯で流下する溶湯を効率よく受けて、スムーズに鋳型キャビティ内に導入するために、湯口部が溶湯流路部よりも拡径された湯口カップ部を有していることが好ましい。
【００１８】
通気性鋳型は、水平方向に見切りを有する横込めの通気性鋳型に適用するのが特に好ましいが、これに限定されず、例えば、鉛直方向に見切りを有する縦込めの通気性鋳型に適用してもよい。
【００１９】
通気性鋳型は、生砂型、シェル型、ガス硬化型、自硬性型その他の砂粒子を用いて造型された砂型と呼ばれる鋳型が一般的であるが、セラミックス粒子や金属粒子を用いて造型された鋳型も適用できる。また石膏などのほとんど通気性のない鋳型でも、通気性材料を混在させる、又は部分的に通気性材料を用いて十分な通気性をもたせることによって通気性鋳型として使用可能である。さらに、金型のように全く通気性のない材料を用いた鋳型であっても、ベントホール等の通気孔を設けて通気性をもたせた場合には通気性鋳型として使用可能である。
【００２０】
本発明の通気性鋳型は、送気ガスの一部が製品部又は押湯部に侵入するという課題を解決するために、溶湯流路部のキャビティと製品部のキャビティとの間に、ガス抜き部を設けたことを技術的特徴かつ必須の構成要件とするものである。ガス抜き部を設けることで、送気ガスは、ガス抜き部から鋳型の内部や外部に放散して製品部又は押湯部に侵入することが抑制される。この結果、送気ガスの侵入に起因する鋳造欠陥の発生が抑制され、健全な鋳造物品を得ることが可能となる。
【００２１】
以下、本発明での重要な構成要件であるガス抜き部の作用について説明する。送気加圧鋳造法は、湯口部から送気したガスの圧力（動圧）を溶湯流路部内に供給した金属溶湯に作用させて、送気ガスの圧力を駆動力として溶湯を所望のキャビティに充填する。送気ガスの圧力（送気ガス圧力）は溶湯に作用する他に、湯口部、湯道部からなる溶湯流路部のキャビティの周壁や見切りにも作用する。鋳型は通気性を有するため、送気ガスの一部は、溶湯流路部の周壁や見切りを介して鋳型内に侵入していく。鋳型内に侵入した送気ガスが製品部のキャビティに到達すると、到達までの圧力損失に応じた圧力をもって製品部のキャビティに吹き出す。送気ガスの一部が吹き出している製品部のキャビティに溶湯が到達すると、送気ガスが溶湯に侵入して、その後、溶湯が凝固すると送気ガスが残留して、製品にガス欠陥を生ずることがある。
【００２２】
製品部の溶湯に送気ガスが侵入するためには、溶湯を充填するガスの圧力（充填ガス圧力）に対して製品部のキャビティに吹き出すガスの圧力（吹出ガス圧力）が高い必要がある。充填ガス圧力と吹出ガス圧力は、湯口部から供給される送気ガス圧力に等しく、両者は同一のはずであり、充填ガス圧力よりも吹出ガス圧力が高くなることはないと考えられる。しかし、現実には湯口部からの送気ガス圧力は製品部に到達するまでに圧力損失すると考えられ、充填ガス圧力は送気ガス圧力より低下しているものと推察される。例えば溶湯をキャビティに充填するための送気ガスと溶湯流路部内の溶湯との接触部の凝固が進行すると、製品部の充填ガス圧力は低下すると考えられる。一方、吹出ガス圧力も溶湯流路部の周壁や見切りを通過する際に圧力損失すると考えられ、吹出ガス圧力は送気ガス圧力より低下しているものと推察される。
【００２３】
このため、製品にガス欠陥を生ずるか否かは、充填ガス圧力と吹出ガス圧力とのバランスによって決定され、充填ガス圧力に対して吹出ガス圧力が大きく上回るとガス欠陥が発生するものと推察される。送気加圧鋳造法の試行の過程で、湯口部の近傍に配置された製品にガス欠陥が多発する傾向がみられたことから、湯口部の近傍の製品部では、溶湯の充填ガス圧力に対して、湯口部の周壁や見切りを介して製品部のキャビティに作用する吹出ガス圧力が著しく高いものと推察された。また、溶湯流路部と製品部との距離が近いほど送気ガスが溶湯流路部のキャビティの周壁や見切りを通過しやすく圧力損失が少ないため、製品部のキャビティに作用する吹出ガス圧力は高くなるものと考えられた。
【００２４】
本発明のガス抜き部は、上述の吹出ガス圧力を低減するために、溶湯流路部のキャビティと製品部のキャビティとの間に設置される。ガス抜き部は、鋳型に画成された溶湯で充填されることのないキャビティ（空間）である。溶湯流路部と製品部との間にガス抜き部を設置することで、溶湯流路部の周壁や見切りを介して鋳型内に侵入した送気ガスは、ガス抜き部に到達するとガス抜き部の空間に開放され、拡散して圧力が低下し、結果として製品部のキャビティに到達するガスの吹出ガス圧力が低減するものと考えられる。ガス抜き部によって製品部の溶湯に送気ガスが侵入して製品にガス欠陥などの鋳造欠陥を生ずることを抑制できる。
【００２５】
ガス抜き部は、溶湯流路部のうち湯口部及び／又は湯道部のキャビティと、製品部のキャビティとの間であれば、どこに設置してもよい。溶湯流路部のうち湯口部は、送気ガスの供給源に近いためガスの圧力損失が少なく、湯口部の周壁や見切りを介して製品部のキャビティに作用する吹出ガス圧力が高い傾向にあると考えられることから、製品部へのガスの侵入を抑制するには、ガス抜き部は湯口部のキャビティと製品部のキャビティとの間に設置することが好ましい。また、ガス抜き部は、そのキャビティが鋳型の見切り（分割面）に対して交差する方向（鉛直方向）に延在していることが好ましい。ガス抜き部が鋳型の見切りに対して交差する方向に延在することで、溶湯流路部から鋳型内に侵入した送気ガスがガス抜き部から鋳型の内部や外部に放散しやすくなり、鋳型の見切りと平行する方向に配置される製品部に到達することを抑制できる。
【００２６】
なお、ガス抜き部は、鋳型外に開口することなく鋳型内に画成してもよいが、送気ガスの放散の効果を高めるため、鋳型内に画成したガス抜き部を鋳型外に開口して、送気ガスを直接、鋳型外の大気中へ開放することがより好ましい。ガス抜き部を鋳型外に開口するためには、鋳型の外周面（上面、下面、側面）や内面からドリル穿孔を施して、ガス抜き部から鋳型外に貫通する開孔部を設けることで達成できる。
【００２７】
次に、本発明の実施の形態を、図面を参照しつつ詳細に説明する。なお、以下に示す実施の形態は本発明の類型の一例であって、本発明は以下の実施の形態の構成により何ら限定されるものではなく、また本発明の技術的思想の範囲において、実施の形態の構成を適宜変更可能である。
【００２８】
（実施の形態）
本発明の実施の形態について、図１及び図２を参照して説明する。図１は本発明の実施の形態の通気性鋳型を概念的に示す平面図であり、図２は本発明の実施の形態の通気性鋳型を示す要部断面図であって、（ａ）は図１のＡ−Ａ矢視断面図であり、（ｂ）は図１のＢ−Ｂ矢視断面図である。図１は、水平方向に見切りを有する横込めの通気性鋳型であって、鉛直方向上方より透視したと仮定した場合の湯口カップ２ａを除く全てのキャビティを含む通気性鋳型を示している。図１及び図２は説明の便宜上、キャビティに溶湯を注湯していない状態を示す図である。図２でＰＬは見切り示し、見切りＰＬを挟んで、紙面上側が上型、紙面下側が下型を示す。
【００２９】
まず通気性鋳型の構成について説明する。図１において、鋳型１は、従来知られた硅砂等を主成分とする砂粒子からなる骨材、ベントナイト等の粘結材及び水分を主体に構成された生砂型からなる通気性を有する砂型である。本実施の形態では、鋳型１に画成された８つの製品部５のキャビティと溶湯流路部のキャビティとで構成された通気性鋳型を例示したものである。
【００３０】
製品部５は、その断面が略凸状の形状を有し、２つの製品部５に１つの押湯部４を連結している。一般に鋳造物品を製造する場合には、押湯部４を有することが多いが、鋳鉄鋳物のように凝固過程で黒鉛が晶出して体積膨張を生じる鋳造物品では、製品の健全性を補償できれば押湯部４は不要である。なお、所望のキャビティは、少なくとも製品部５を含めばよいが、本実施の形態では、押湯部４を有し、製品部５及び押湯部４を合わせて所望のキャビティとして構成している。
【００３１】
溶湯流路部は、湯口部２及び湯道部３から構成している。湯口部２は、鋳型１の上面に開口して注湯された溶湯を受湯する湯口カップ２ａと、湯口カップ２ａに連通し鉛直方向で下方に延伸する湯口２ｂを有している。湯道部３は、一端が湯口部２に連通し、鋳型１の水平方向に延伸しながら３箇所の分岐を経て他端が押湯部４に連通して溶湯の流路を形成している。
【００３２】
図１及び図２の符号１０で示す部位は本発明で重要な構成となるガス抜き部であって、送気加圧鋳造法で溶湯を所望のキャビティに充填するための送気ガスを、製品部５以外の鋳型１の内部や外部に放散せしめるために、溶湯で充填されることのないキャビティとして鋳型１の上型に画成している。具体的には、ガス抜き部１０は、溶湯流路部である湯口部２のキャビティと製品部５のキャビティとの間の領域に、鉛直方向で見切りＰＬから上方に延在するキャビティとして設けている。本実施の形態ではガス抜き部１０は、湯口２ｂを囲繞した湯口囲繞部１０ａ、ガス抜き通路部１０ｂ及び放散部１０ｃから構成している。
【００３３】
湯口囲繞部１０ａは、湯口２ｂと湯道部３の接続部分を除いて、水平方向視で湯口２ｂの周囲を円弧状に囲繞し、鉛直方向視で断面が略長方形のキャビティとして画成され、湯口２ｂの径方向外方に延伸するガス抜き通路部１０ｂを介して放散部１０ｃに連通している。湯口囲繞部１０ａのキャビティのサイズは、大きいほど湯口囲繞部１０ａに到達した送気ガスの放散がしやすくなるので好ましいが、湯口２ｂのキャビティと製品部５のキャビティとの距離、造型における鋳型１の抜型性、送気ガス圧力及び鋳型１の通気度等を勘案してそのサイズを適宜設定すればよい。
【００３４】
本実施の形態では湯口囲繞部１０ａは、水平方向視で湯口２ｂの周囲を円弧状に囲繞した形態を例示したが、これに限定されず、水平方向視でコの字状、Ｕ字状、Ｖ字状、Ｌ字状、Ｉ字状等の形状で湯口２ｂを囲繞した形態でもよく、要は湯口２ｂのキャビティと製品部５のキャビティとの間の領域に、任意の形状で設ければよい。また湯口囲繞部１０ａは、鉛直方向視で断面が略長方形のキャビティの形態を例示したが、これに限定されず、略台形状、略三角状、略半円状及びそれらの組み合わせ等の断面形状に画成したキャビティであってもよい。
【００３５】
湯口囲繞部１０ａに連通する放散部１０ｃは、湯口囲繞部１０ａに到達した送気ガスをより積極的に鋳型１の内部や外部に放散させるために設けている。放散部１０ｃは、水平方向視で製品部５から離間した位置に、湯口２ｂと同等程度の直径と上型の全高さの半分以上の高さとを有する円筒状のキャビティとして画成している。放散部１０ｃは、鉛直方向で見切りＰＬから上型の全高さの半分程度まで延在しているので、ガス抜き部１０に到達した送気ガスを鋳型１の内部のみならず外部に放散させるのに特に有効である。
【００３６】
放散部１０ｃのキャビティのサイズは、大きいほど放散部１０ｃに到達した送気ガスの放散がしやすくなるので好ましいが、放散部１０ｃのキャビティと製品部５のキャビティとの距離、造型における鋳型１の抜型性、送気ガス圧力及び鋳型１の通気度等を勘案してそのサイズを適宜設定すればよい。本実施の形態では放散部１０ｃは、円筒状のキャビティの形態を例示したが、放散部１０ｃはこれに限定されず、角柱状、台形状、円錐状、角錐状等に画成したキャビティの形態であってもよい。
【００３７】
湯口囲繞部１０ａを設けるだけで送気ガスの製品部５への侵入を抑制できれば、放散部１０ｃは、必ずしも必要ない。しかしながら設置スペースの制約などから、湯口囲繞部１０ａのみでは送気ガスの製品部５への侵入を抑制できない場合などは、放散部１０ｃを設けることで送気ガスをより積極的に鋳型１の内部や外部に放散できるので好ましい。
【００３８】
なお、送気ガスＧを大気中へ直接開放することで送気ガスＧの放散の効果を高めることができるので、放散部１０ｃの紙面上側の天井面から鋳型１の外部に貫通する開孔部を設けることがより好ましい。鋳型１の外部に貫通する開孔部は、上型の上面又は放散部１０ｃの天井面から他方に向けてドリル穿孔を施すことで設けることができる。
【００３９】
次に、送気加圧鋳造法により、上述の鋳型１の湯口部２から溶湯流路部内に鋳型１の全てのキャビティの体積よりも小さい所望のキャビティの体積（本実施の形態では８つの製品部５及び４つの押湯部４のキャビティとほぼ等しい体積）の溶湯を重力注湯で供給し、次いで湯口部２からガスＧを送気して、溶湯流路部内の溶湯を押し込むことで溶湯流路部内の溶湯を所望のキャビティに供給し、所望のキャビティを溶湯で充填して鋳造物品を得る場合のガス抜き部１０の作用について説明する。
【００４０】
図１及び図２は、キャビティに溶湯を注湯していない状態を示す図であるが、送気加圧鋳造法により、鋳型１の湯口部２から所望のキャビティ（押湯部４及び製品部５のキャビティ）の体積の溶湯を重力注湯で供給し、次いで湯口部２からガスＧを送気したと仮定して説明する。溶湯流路部内に供給した溶湯は、注湯後に湯口部２から送気したガスＧの圧力（動圧）によって所望のキャビティに供給される。この際、送気ガスＧの圧力（送気ガス圧力）は溶湯に作用する他に、湯口部２及び湯道部３からなる溶湯流路部のキャビティの周壁や見切りＰＬにも作用する。
【００４１】
鋳型１は、通気性を有することから湯口部２から送気されたガスＧの一部は、湯口２ｂの周壁や見切りＰＬにも作用して、図２（ａ）の矢印で示すガスｇ１のように湯口２ｂの周壁や見切りＰＬから鋳型１の内部に侵入していく。ここで本実施の形態の鋳型１は、ガス抜き部１０を有することから、鋳型１の内部に侵入したガスｇ１のうち一部は、ガス抜き部１０を構成する湯口囲繞部１０ａに到達すると湯口囲繞部１０ａのキャビティで開放され、湯口囲繞部１０ａで拡散して圧力が低下するとともに、その一部はガス抜き通路部１０ｂを介して流路抵抗の少ない放散部１０ｃへ向かい、また一部は矢印で示すガスｇ２のように鋳型１の内部に放散していく。湯口囲繞部１０ａを経由して、再度、鋳型１に侵入したガスｇ２はその一部が、製品部５のキャビティにも到達する可能性があるが、そのガスは流量、圧力ともに僅かであり、溶湯に侵入してガス欠陥などの鋳造欠陥を生ずることはない。
【００４２】
図２（ｂ）に示すように、湯口囲繞部１０ａからガス抜き通路部１０ｂを介して放散部１０ｃへ向かったガスｇ３は、放散部１０ｃのキャビティで開放され、放散部１０ｃで拡散して圧力が低下するとともに、矢印で示すガスｇ４のように鋳型１の内部に放散するとともに一部は鋳型１の外部に放散していく。放散部１０ｃと押湯部４及び製品部５とのキャビティは、鋳型１内で十分に離間しているため、ガスｇ４が押湯部４及び製品部５のキャビティに到達する可能性は低く、仮に到達しても、そのガスは流量、圧力ともに僅かであり、溶湯に侵入してガス欠陥などの鋳造欠陥を生ずることはない。
【００４３】
なお、本実施の形態では、湯口部２（湯口２ｂ）のキャビティと製品部５のキャビティとの間の領域にガス抜き部１０を設けた態様を例示したが、本発明はこの態様に限定されず、ガス抜き部１０は、湯口部２と押湯部４、湯道部３と製品部５、湯道部３と押湯部４、湯口部２及び湯道部３と製品部５、湯口部２及び湯道部３と押湯部４、或いは湯口部２及び湯道部３と製品部５及び押湯部４の各キャビティの間に設置することができる。鋳造においては、鋳型への製品部の込め数、鋳込み姿勢などの鋳造条件により、鋳型１内での製品部５と、所謂、鋳造方案とも称される湯口部２、湯道部３及び押湯部４との配置は、様々な形態をとり得る。従って、ガス抜き部１０は、製品部５及び鋳造方案の配置状況に応じて、溶湯流路部と製品部５又は押湯部４が接近した部位に適宜設置することが好ましい。
【００４４】
本実施の形態のごとくガス抜き部を設けることで、送気加圧鋳造法において、溶湯流路部のキャビティの周壁や見切りから鋳型に侵入した送気ガスを鋳型の内部や外部に放散して、製品部又は押湯部に侵入することを抑制できるので、送気ガスの侵入に起因するガス欠陥などの鋳造欠陥の発生が抑制され、健全な鋳造物品を得ることが可能となる。
【符号の説明】
【００４５】
１：通気性鋳型（鋳型）
２：湯口部
２ａ：湯口カップ
２ｂ：湯口
３：湯道部
４：押湯部
５、５ａ、５ｂ：製品部
１０：ガス抜き部
１０ａ：湯口囲繞部
１０ｂ：ガス抜き通路部
１０ｃ：放散部
ＰＬ：見切り
Ｇ、ｇ１、ｇ２、ｇ３、ｇ４：ガス（送気ガス）
【図１】
2019181550.tif 000003
【図２】
2019181550.tif 000004